(57)【要約】【課題】被取付部品にワンタッチで簡単に取付けでき、ガタツキなくしっかりと固定することができる部品の取付装置を提供する。【解決手段】この部品の取付装置は、孔６及び係止溝７を有する取付孔５が形成された天井壁部１と、ベース部２０と筒状の軸部３０とを有するホルダ１０とを、軸部３０を取付孔５に挿入することによって固定するもので、軸部３０の対向する側面に、孔６の周縁に係合する一対の弾性爪片３７が形成され、軸部３０の弾性爪片３７が形成されていない側面には、一対の弾性爪片３７の間に進入可能で、かつ、係止溝７に嵌合する弾性係止片４０が形成されている。この弾性係止片４０は、係止溝７に嵌合したときに、軸部３０の内側に撓んで一対の弾性爪片３７を内側から押圧し、一対の弾性爪片３７の軸部３０内側への撓みを防止して、孔６の周縁に対してガタ付くことなくしっかりと固定ができる。【選択図】図８
2007292263.tif 000002
【特許請求の範囲】
【請求項１】
一対の係止溝が孔縁の対向する部分に形成された取付孔を有する被取付部品と、ベース部と該ベース部から筒状に延出された軸部とを有する部品とを、前記軸部を前記取付孔に挿入することによって固定するようにした取付装置において、
前記軸部の対向する側面には、該軸部の内側及び外側に撓み可能であると共に、前記取付孔の孔縁に係合する一対の弾性爪片が形成され、
前記軸部の前記弾性爪片が形成されていない側面には、前記一対の弾性爪片の間に進入できるように、前記軸部の内側及び外側に撓み可能とされると共に、前記係止溝に嵌合して回り止めをなす弾性係止片が形成され、
この弾性係止片は、前記係止溝に嵌合したときに、前記軸部の内側に撓んで前記一対の弾性爪片の内面に当接するように構成されていることを特徴とする部品の取付装置。
【請求項２】
前記弾性爪片は、前記ベース部に向かうに従って前記軸部の外側に突出するテーパ部と、該テーパ部の頂部を超えた部分に形成された係合段部とを有し、前記弾性係止片は、前記ベース部に向かうに従って前記軸部の外側に突出するテーパ部を有しており、
前記弾性爪片の頂部の位置に対して前記弾性係止片のテーパ部の前記係止溝に当接する位置が前記ベース部寄りに配置されている請求項１記載の部品の取付装置。
【請求項３】
前記弾性爪片と前記弾性係止片とが当接する面の少なくとも一方には、前記弾性係止片が前記一対の弾性爪片の間に挿入されるのをガイドするテーパ面が形成されている請求項１又は２記載の部品の取付装置。
【請求項４】
前記弾性係止片の前記軸部への挿入方向の先端部が最も拡径されていて、前記一対の弾性爪片の内面に当接する部分をなしており、前記軸部を前記取付孔に係合させた状態で、前記弾性係止片を前記軸部の内側に更に押し込むと、前記拡径された先端部が前記弾性爪片の内面間を抜け出るように構成されている請求項１〜３のいずれか１つに記載の部品の取付装置。
【請求項５】
前記弾性係止片の拡径された先端部が前記弾性爪片の内面間を抜け出た際に、前記弾性爪片の反対側の端面に係合するように構成されている請求項４記載の部品の取付装置。
【請求項６】
前記軸部は、前記取付孔内周にほぼ適合する外周形状を有しているが、前記弾性係止片が連結された壁部は、軸方向から見て平坦な形状をなしている請求項１〜５のいずれか１つに記載の部品の取付装置。
【請求項７】
前記ベース部には、前記弾性係止片の前記ベース部側の端部が入り込む切欠き部が形成されている請求項１〜６のいずれか１つに記載の部品の取付装置。
【請求項８】
前記ベース部には、サンバイザの軸部を保持する保持部が連設されている請求項１〜７のいずれか１つに記載の部品の取付装置。
【発明の詳細な説明】
【技術分野】
【０００１】
本発明は、例えば、サンバイザ用ホルダ等の自動車用の部品を、自動車のパネル部材等の被取付部品に固定するために用いられる、部品の取付装置に関する。
【背景技術】
【０００２】
従来のこの種の部品の取付装置として、下記特許文献１には、孔縁の対向する部分に係止溝（係止部）を有する取付孔（パネル孔）に、ベース部と該ベース部から伸びる軸部とからなる部品（取付具）の前記軸部を挿入することにより、取付孔に固定できるようにした取付装置が開示されている。前記軸部は、ベース部から所定間隔をおいて平行に立設した一対の柱部を有しており、各柱部の外側面には抜け止め部がそれぞれ突設されている。各柱部の上端部近傍には、撓み可能な弾性係止片が連結され、該弾性係止片の厚さは、一対の柱部の内面間の幅よりも小さく形成されていて、一対の柱部の内部に挿入可能となっている。
【０００３】
そして、抜け止め部を係止溝に整合させ、弾性係止片を撓ませて柱部内に挿入させながら、取付孔に軸部を挿入して抜け止め部を取付孔の表面側に突き出し、その後、部品を所定角度回転させると、抜け止め部が取付孔周縁に係合すると共に、弾性係止片が係止溝に係合し、部品が回り止めされて取付孔に固定される。このとき、一対の柱部内に挿入された弾性係止片は、各柱部の内面に対して弾性係止片の両側面が近接して配置されるため、弾性係止片のガタツキが防止され、取付孔に部品をしっかりと取付けることができる。
【特許文献１】特開２００４−１４４１５８号公報
【発明の開示】
【発明が解決しようとする課題】
【０００４】
上記特許文献１の場合、抜け止め部を係止溝に挿入した後に、部品を回転させて抜け止め部を取付孔に係合させるようにしており、部品の挿入及び回転といった２つの操作が必要であるため、煩雑で作業性に問題がある。
【０００５】
したがって、本発明の目的は、被取付部品に対してワンタッチで簡単に取付けることができると共に、ガタツキなくしっかりと固定することができる部品の取付装置を提供することにある。
【課題を解決するための手段】
【０００６】
上記目的を達成するため、本発明の第１は、一対の係止溝が孔縁の対向する部分に形成された取付孔を有する被取付部品と、ベース部と該ベース部から筒状に延出された軸部とを有する部品とを、前記軸部を前記取付孔に挿入することによって固定するようにした取付装置において、前記軸部の対向する側面には、該軸部の内側及び外側に撓み可能であると共に、前記取付孔の孔縁に係合する一対の弾性爪片が形成され、前記軸部の前記弾性爪片が形成されていない側面には、前記一対の弾性爪片の間に進入できるように、前記軸部の内側及び外側に撓み可能とされると共に、前記係止溝に嵌合して回り止めをなす弾性係止片が形成され、この弾性係止片は、前記係止溝に嵌合したときに、前記軸部の内側に撓んで前記一対の弾性爪片の内面に当接するように構成されていることを特徴とする部品の取付装置を提供するものである。
【０００７】
上記発明によれば、弾性係止片を係止溝に整合させて、軸部を取付孔に対して押し込むと、一対の弾性爪片が撓みつつ取付孔を通過して、その裏面側で孔縁に係合すると共に、弾性係止片が係止溝に嵌合して、部品を回り止めした状態で、ワンタッチで簡単に部品を取付孔へ固定することができる。
【０００８】
また、上記固定状態では、軸部内に弾性係止片が挿入されて、孔縁に係合した一対の弾性爪片の内面に当接するので、一対の弾性爪片の軸部内側への撓みを防止して、孔縁に対してガタ付くことなく、しっかりと固定することができると共に、弾性係止片もしっかりと固定されてガタ付くことがないので、確実に回り止めを図ることができる。
【０００９】
一方、部品を被取付部品の取付孔から取外す場合には、弾性係止片と係止溝との係合を解除して、一対の弾性爪片を一対の係止溝に整合するまで回転させて、軸部を取付孔から引き抜くことにより、取外すことができる。
【００１０】
本発明の第２は、前記第１の発明において、前記弾性爪片は、前記ベース部に向かうに従って前記軸部の外側に突出するテーパ部と、該テーパ部の頂部を超えた部分に形成された係合段部とを有し、前記弾性係止片は、前記ベース部に向かうに従って前記軸部の外側に突出するテーパ部を有しており、前記弾性爪片の頂部の位置に対して前記弾性係止片のテーパ部の前記係止溝に当接する位置が前記ベース部寄りに配置されている部品の取付装置を提供するものである。
【００１１】
上記発明によれば、軸部を取付孔に挿入する際、弾性爪片の頂部が孔縁を通過するまでは、弾性係止片が大きく内側に撓まず、弾性爪片の内面に当接しないので、弾性爪片の内側への撓みが規制されることがなく、取付孔への軸部の挿入抵抗を小さくすることができ、取付け作業性を向上させることができる。
【００１２】
本発明の第３は、前記第１又は第２の発明において、前記弾性爪片と前記弾性係止片とが当接する面の少なくとも一方には、前記弾性係止片が前記一対の弾性爪片の間に挿入されるのをガイドするテーパ面が形成されている部品の取付装置を提供するものである。
【００１３】
上記発明によれば、弾性係止片が係止溝に押圧されて軸部内に挿入されるときに、一対の弾性爪片の内面に当接してそれらの間にスムーズに挿入されるので、弾性爪片の内面間に確実に配置させることができ、一対の弾性爪片のガタ付きや、弾性係止片のガタ付きをより効果的に防止することが可能となる。
【００１４】
本発明の第４は、前記第１〜３の発明のいずれか１つにおいて、前記弾性係止片の前記軸部への挿入方向の先端部が最も拡径されていて、前記一対の弾性爪片の内面に当接する部分をなしており、前記軸部を前記取付孔に係合させた状態で、前記弾性係止片を前記軸部の内側に更に押し込むと、前記拡径された先端部が前記弾性爪片の内面間を抜け出るように構成されている部品の取付装置を提供するものである。
【００１５】
上記発明によれば、部品を取付孔から取外したいときに、弾性係止片を軸部の内側に更に押し込むことにより、弾性係止片の拡径された先端部が弾性爪片の内面間を抜け出て弾性爪片への押圧が解除されるので、弾性爪片が軸部の内側に撓みやすくなり、軸部を回動させやすくして、比較的簡単に部品を取外すことが可能となる。
【００１６】
本発明の第５は、前記第４の発明において、前記弾性係止片の拡径された先端部が前記弾性爪片の内面間を抜け出た際に、前記弾性爪片の反対側の端面に係合するように構成されている部品の取付装置を提供するものである。
【００１７】
上記発明によれば、弾性係止片の先端部が弾性爪片の反対側に抜け出たとき、弾性爪片の反対側の端面に係合して、弾性係止片が弾性復帰して軸部の内部から突出することが規制されるので、軸部をより回動させやすくして、部品を取付孔から極めて容易に取外すことが可能となる。
【００１８】
本発明の第６は、前記第１〜５の発明のいずれか１つにおいて、前記軸部は、前記取付孔内周にほぼ適合する外周形状を有しているが、前記弾性係止片が連結された壁部は、軸方向から見て平坦な形状をなしている部品の取付装置を提供するものである。
【００１９】
上記発明によれば、弾性係止片が連結された壁部は、軸方向から見て平坦な形状をなしているので、弾性係止片を軸部の中心に近接した位置に形成することができ、弾性係止片が係止溝に押圧されて軸部の内部に撓むときに、弾性係止爪の内面に当接させやすくすることができる。
【００２０】
本発明の第７は、前記第１〜６の発明のいずれか１つにおいて、前記ベース部には、前記弾性係止片の前記ベース部側の端部が入り込む切欠き部が形成されている部品の取付装置を提供するものである。
【００２１】
上記発明によれば、弾性係止片のベース部側の端部が入り込む切欠き部がベース部に形成されているので、取付孔から部品を取外す際に、上記切欠き部を通して弾性係止片を軸部の内側に押し込みやすくなり、部品の取外しが容易となる。
【００２２】
本発明の第８は、前記第１〜７の発明のいずれか１つにおいて、前記ベース部には、サンバイザの軸部を保持する保持部が連設されている部品の取付装置を提供するものである。
【００２３】
上記発明によれば、サンバイザの軸部を保持する保持部を有する部品、すなわちサンバイザホルダを、被取付部品である自動車のパネルの取付孔に、ワンタッチで確実に固定することができる。
【発明の効果】
【００２４】
本発明の部品の取付装置によれば、弾性係止片を係止溝に整合させて、軸部を取付孔に対して押し込むと、一対の弾性爪片が撓みつつ取付孔を通過して、その裏面側で孔縁に係合すると共に、弾性係止片が係止溝に嵌合して、部品を回り止めした状態で、ワンタッチで簡単に部品を取付孔へ固定することができる。
【００２５】
また、上記固定状態では、軸部内に弾性係止片が挿入されて、孔縁に係合した一対の弾性爪片の内面に当接するので、一対の弾性爪片の軸部内側への撓みを防止して、孔縁に対してガタ付くことなく、しっかりと固定することができると共に、弾性係止片もしっかりと固定されてガタ付くことがないので、確実に回り止めを図ることができる。
【発明を実施するための最良の形態】
【００２６】
以下、図１〜９を参照して、本発明の部品の取付装置の一実施形態について説明する。
【００２７】
自動車のフロントガラス上方の天井壁には、日除けのためのサンバイザが取付けられている。本発明の部品の取付装置は、例えば、このようなサンバイザの軸部を着脱可能に保持するためのサンバイザ用ホルダを天井壁部に取付けるために適用される。図１を参照すると、この実施形態の場合、天井壁部１が本発明における被取付部をなし、この天井壁部１に、本発明における部品としてのサンバイザ用ホルダ１０（以下、「ホルダ１０」という）が取付けられる。
【００２８】
前記天井壁部１は、この実施形態の場合、パネル部材２と、このパネル部材２の下面に貼着されたトリム部材３とから構成されている。パネル部材２の所定箇所には、円形状の孔６と、この孔６の周縁の対向する部分をコ字状に切欠いて形成された一対の係止溝７，７とからなる、取付孔５が形成されている。一方、トリム部材３には、取付孔５に対応する位置で、それよりもやや大きな円形状をなした開口部８が形成されている。この開口部８により、パネル部材２の表面側（図１の場合、下面側）に後述するホルダ１０のリブ３４及び段部３５を当接させることができ、かつ、ホルダ１０を回転させたときに、前記リブ３４及び段部３５がトリム部材３に干渉しないようにしている。
【００２９】
図２及び図３を併せて参照すると、本発明における部品としてのホルダ１０は、天井壁部１のトリム部材３に当接するベース部２０と、該ベース部２０の上面（トリム部材３に当接する面）の中央から垂直に延出した筒状の軸部３０とを有し、前記軸部３０には、一対の弾性爪片３７，３７及び弾性係止片４０が形成されている。
【００３０】
各構成部分について説明すると、図２（ｄ）に示すように、ベース部２０は一方向に長い長方形状をなしており、その長手方向一端の下面から、図示しないサンバイザの軸部を係脱可能に保持する、断面Ｃ字状の保持部２１が延出されている（図２（ａ）参照）。
【００３１】
一方、図２（ａ）に示すように、ベース部２０の長手方向の他端側の下面からは、前記保持部２１の内側に向かってやや湾曲した形状をなした押え片２３が延出している。この押え片２３は、サンバイザの軸部が保持部２１に挿入されたときに、該軸部の外周に弾性的に当接する部分であり、外径の異なるサンバイザの軸部でもガタツキなく保持することが可能となっている。
【００３２】
なお、サンバイザの軸部の基端を球状に膨出した形状とし、これを回動自在に保持できるような球状の凹部を有する自在継手からなる保持部を設けたホルダに適用することもでき、保持部２１の形状は特に限定されるものではない。
【００３３】
また、ベース部２０の上面には、その幅方向の中央部に沿って、切欠き部２５が形成されており、この切欠き部２５に後述する弾性係止片４０の基端側の一部が入り込むようになっている。図３（ａ）に示すように、この切欠き部２５は、ベース部２０の長手方向の一端から、前記押え片２３の近傍まで伸びていて、後述する軸部３０の内部に連通した形状をなしている。
【００３４】
上記ベース部２０の上面中央から延出した軸部３０は、前記ベース部２０の切欠き部２５の両側から互いに平行に立設した一対の側壁３１，３１と、該一対の側壁３１，３１を連結する円弧状の前壁３２と、前記一対の側壁３１，３１の前壁３２とは反対側、すなわちベース部２０の長手方向の一端側を連結する後壁３３とからなり、４つの壁部で囲まれた筒状をなしている。なお、前壁３２が取付孔５の孔６の内周にほぼ適合した円弧形状をなしているのに対して、後壁３３は、図２（ｄ）に示すように、軸方向から見て平坦な形状をなしている。同図２（ｄ）に示すように、ベース部２０の上面には、前壁３２よりも前方に突出して軸方向から見てコ字状をなしたリブ３４が形成されており、更に、後壁３３に隣接して切欠き部２５の両側から一対の段部３５，３５が突設している。これらのリブ３４及び各段部３５は、共に同一の高さで突出しており（図２（ａ）参照）、図５に示すように、パネル部材２の表面側に当接する部分となる。更に、軸部３０の上端外周には、各壁部３１，３２，３３の全周に亘って、上方に向かうほど次第に肉薄となるテーパ面３０ａが形成されており、軸部３０を取付孔５に挿入しやすくしている。
【００３５】
軸部３０の対向する一対の側壁３１，３１には、コ字状スリット３８を介して弾性爪片３７がそれぞれ形成され、各弾性爪片３７は軸部３０の内側及び外側に撓み可能となっている。また、各弾性爪片３７は、前記ベース部２０に向かうにつれて次第に外側に突出するテーパ部３７ａと、該テーパ部３７ａの最も外側へ突出した頂部３７ｂと、この頂部３７ｂを越えた部分において高さが急激に低くなっていて、前記取付孔５の孔６の周縁に係合する係合段部３７ｃとを有している。なお、図２（ａ）に示すように、弾性爪片３７の係合段部３７ｃは、前述したベース部２０のリブ３４及び段部３５よりも上方に形成されていて、リブ３４及び段部３５と協動してパネル部材２の表面及び裏面を挟み込むようになっている。また、係合段部３７ｃは、テーパ状に形成されており、パネル部材２が薄い場合や厚い場合でも、そのテーパ面の一部が取付孔５の孔６の周縁に係合し、パネル部材２の板厚変化に対応できるようになっている。更に、弾性爪片３７の幅や、撓んでいないときの突出高さは、前記取付孔５の一対の係止溝７，７を通過できると共に、取付孔５の孔６には係合するように設定されている。
【００３６】
図３（ａ）〜（ｃ）を参照すると、一対の弾性爪片３７，３７の先端側の内面には、突部３９，３９が対向して設けられている。また、図３（ａ），（ｃ）に示すように、各突部３９には、軸部３０の後壁３３側の端縁から、前壁３２側に向けて次第に内側に突出するテーパ面３９ａが形成されていて、一対の弾性爪片３７，３７の間に、後述する弾性係止片４０が挿入される際のガイドとなっている。そして、図３（ｃ）に示すように、各突部３９を軸方向から見たときに、その先端面３９ｂ，３９ｂの間隔Ｄ１は、後述する弾性係止片４０の拡径部４５，４５の外径Ｄ２よりも小さく形成されている。そのため、弾性係止片４０が軸部３０の内側に撓んで、その先端の拡径部４５がテーパ面３９ａによりガイドされて先端面３９ｂに至ったときに、各先端面３９ｂを内側から押圧して、一対の弾性爪片３７，３７が内側から押圧されるようになっている。
【００３７】
一方、図２（ａ），（ｂ）を参照すると、弾性係止片４０は、前記軸部３０の後壁３３に、軸方向に沿って設けられた一対のスリット４１，４１を介して形成されている。この弾性係止片４０は、その基端部が後壁３３の上端縁に連結されていて、該基端部を支点として軸部３０の内側及び外側に撓むようになっており、先端部の外側には板状の突片４３が基端部と同一幅で突設されている。より詳細に説明すると、前記板状の突片４３は、弾性係止片４０の軸方向のほぼ中間位置から前記切欠き部２５の内部に入り込む長さで形成されており、その外側には、円弧状の曲面部４３ａを介して、ベース部２０に向かうに従って軸部３０の外側に突出すると共に高さが低くなるテーパ部４３ｂが形成されている。また、軸方向から見て円弧状にやや突出した形状をなす外側端面４３ｃと、軸方向に沿った平面をなす内側面４３ｄ（図３（ａ）参照）を有している。
【００３８】
前記テーパ部４３ｂは、図４に示すように、軸部３０を取付孔５に挿入する際に、係止溝７の内周により押圧されて弾性係止片４０を内側に撓ませる部分となる。更に、該テーパ部４３ｂの上記係止溝７に当接する部分は、前記弾性爪片３７の頂部３７ｂよりも、ベース部２０寄りに配設されており、その結果、図４に示すように、弾性爪片３７の頂部３７ｂが取付孔５の孔６の周縁を乗り越えるまでは、弾性係止片４０が大きく内側に撓むことなく、弾性係止片４０が弾性爪片３７の内面に当接しないように構成されている。それによって、軸部３０を取付孔５に容易に挿入できるようにしている。
【００３９】
図３（ｃ）を併せて参照すると、弾性係止片４０の軸部３０に対する挿入方向の先端部である、突片４３の内側面４３ｄには、その幅方向の両側部に突出した拡径部４５,４５が設けられている。また、図２（ｂ）に示すように、各拡径部４５の上部には、上方に向かって次第に縮径するテーパ面４５ａがそれぞれ形成されていて、前述した一対の弾性爪片３７，３７の間に侵入しやすくなっている。更に、図３（ｃ）に示すように、一対の拡径部４５，４５を軸方向から見たとき、拡径部４５，４５の外径Ｄ２は、前述した弾性爪片３７の各先端面３９ｂ，３９ｂの間隔Ｄ１よりも大きく形成されている。したがって、弾性係止片４０が軸部３０の内側に撓み、突片４３が一対の弾性爪片３７,３７の各突部３９の間に進入するときに、弾性係止片４０の拡径部４５,４５が、突部３９のテーパ面３９ａにガイドされて先端面３９ｂ,３９ｂ間に挿入され、各先端面３９ｂを内側から押圧する（図６参照）。
【００４０】
次に、上記構成からなる本発明の部品の取付装置を用いて、部品であるホルダ１０を被取付部品である天井壁部１に取付ける際の手順について説明する。
【００４１】
まず、図１に示すように、ホルダ１０の弾性係止片４０を、パネル部材２の取付孔５の係止溝７に整合させて、トリム部材３側から開口部８を通して、軸部３０を取付孔５に挿入していくと、テーパ部３７ａが孔６の内周に押圧されて一対の弾性爪片３７,３７が内側に撓むと共に、弾性係止片４０が係止溝７に挿入される。更に、軸部３０を押し込んで、頂部３７ｂが孔６を通過して係合段部３７ｃが孔６の周縁に至ると、図８に示すように、弾性爪片３７が弾性復帰して係合段部３７ｃが孔６の裏面側周縁に係合する。
【００４２】
一方、弾性係止片４０は、前記弾性爪片３７の頂部３７ｂが孔６の周縁を通過した後、テーパ部４３ｂが係止溝７に当接して軸部３０の内側に撓み始め、図５に示すように、係止溝７の周縁に嵌合して、ホルダ１０の回り止めが図られる。また、軸部３０の内側に撓んだ弾性係止片４０の拡径部４５,４５が、一対の弾性爪片３７，３７に設けられたテーパ面３９ａにガイドされて、一対の弾性爪片３７,３７の間に進入していく。そして、弾性爪片３７が孔６に係合した状態では、弾性係止片４０の拡径部４５,４５が、図６及び図７に示すように、一対の弾性爪片３７,３７の各突部３９,３９の間に挿入される。このとき、弾性係止片４０の拡径部４５,４５の外径Ｄ２は、各突部３９の先端面３９ｂ,３９ｂの間隔Ｄ１よりも大きく形成されているので、図６に示すように、拡径部４５,４５が各先端面３９ｂ,３９ｂを内側から押圧して、一対の弾性爪片３７,３７を内側から押圧した状態となる。
【００４３】
こうして、一対の弾性爪片３７,３７は、外側にある係合段部３７ｃが取付孔５の孔６の周縁に係合すると共に、その状態で内側から弾性係止片４０の拡径部４５により押圧されるようになっているので、一対の弾性爪片３７,３７が軸部３０の内側へ撓むことを防止して、孔６の周縁に対してガタ付くことなくしっかりと固定することができる。また、弾性係止片４０も、一対の弾性爪片３７,３７の各突部３９に挟み込まれる関係となるため、図５及び図８に示すように、弾性係止片４０が係止溝７に嵌合した状態でしっかりと固定されて、弾性係止片４０が係止溝７内でガタ付くことを防止すると共に、ホルダ１０の回り止めを確実に図ることができる。
【００４４】
なお、上記のようにホルダ１０の軸部３０が取付孔５に挿入された状態では、ホルダ１０のベース部２０から突設したリブ３４及び段部３５が、パネル部材２の表面側に当接すると共に、天井壁部１の表面側にあるトリム部材３にベース部２０の上面が当接するようになっている（図５参照）。
【００４５】
以上説明したように、この取付装置においては、ホルダ１０の軸部３０を取付孔５に挿入することにより、ホルダ１０を回り止めした状態で、取付孔５に対してワンタッチで簡単に固定することができる。前記特許文献１のように、軸部に設けられた抜け止め部を、取付孔の係止溝に挿入した後、回転させる必要がなく、部品の取付作業性を向上させることができる。
【００４６】
また、一対の弾性爪片３７,３７及び弾性係止片４０は撓み可能に形成されていると共に、それぞれが弾性的に当接するようになっているので、弾性爪片３７や弾性係止片４０の長さや幅が多少ばらついていても、ガタ付きなく固定することができ、厳しい寸法精度が要求されることがなく、製造コストを低減させることができる。
【００４７】
更に、この実施形態においては、弾性係止片４０のテーパ部４３ｂの係止溝７に当接する位置を、弾性爪片３７の頂部３７ｂに対してベース部２０寄りに配置したので、上述したように、弾性爪片３７の頂部３７ｂが孔６の周縁を通過した後、弾性係止片４０が軸部３０の内側に撓み始める。すなわち、軸部３０を取付孔５に挿入する際に、弾性爪片３７の頂部３７ｂが孔６の周縁を通過するまでは、弾性係止片４０が一対の弾性爪片３７,３７の内面に当接しないので、各弾性爪片３７の内側への撓みが規制されることがなく、取付孔５への軸部３０の挿入抵抗を小さくすることができ、取付け作業性を向上させることが可能となる。
【００４８】
また、この実施形態においては、一対の弾性爪片３７,３７にそれぞれテーパ面３９ａを設けたので、上述したように、弾性係止片４０が係止溝７に押圧されて軸部３０内に挿入されるときに、その拡径部４５が前記テーパ面３９ａによりガイドされて、一対の弾性爪片３７,３７の間にスムーズに挿入される。その結果、一対の弾性爪片３７,３７を内側から押圧して、一対の弾性爪片３７,３７のガタ付きを防止できると共に、弾性係止片４０が弾性爪片３７,３７の内面に挟まれて、弾性係止片４０のガタ付きも効果的に防止することができる。
【００４９】
更に、この実施形態においては、軸部３０を構成する壁部のうち、前壁３２は円弧状をなし、その一方、弾性係止片４０が連結された後壁３３は軸方向から見て平坦な形状をなしているので、弾性係止片４０を軸部３０の中心に近接した位置に支持することができ、弾性係止片４０が係止溝７に押圧されて軸部３０の内部に撓むときに、弾性係止爪３７の内面に当接させやすくすることができる。
【００５０】
以上のようにして、ホルダ１０を天井壁部１の取付孔５に取付けた後、保持部２１に図示しないサンバイザの軸部を差し込むことによって、ホルダ１０にサンバイザの軸部を着脱可能に保持させることができる。
【００５１】
一方、ホルダ１０を天井壁部１から取外したい場合には、図８に示すように、マイナスドライバ等の工具Ｔの先端部を切欠き部２５に差し込んで、弾性係止片４０を軸部３０の内側に更に押し込む。すると、弾性係止片４０の係止溝７に対する嵌合が解除される。
【００５２】
この状態で、一対の弾性爪片３７,３７を、図９に示すように、孔６の係止溝７,７に整合する位置まで回転させて、軸部３０を下方に引き抜くことにより、天井壁部１からホルダ１０を取外すことができる。
【００５３】
また、上記のホルダ１０を取外す際に、ベース部２０には、弾性係止片４０の端部が入り込む切欠き部２５が形成されているので、弾性係止片４０を軸部３０の内側に押し込みやすくなり、ホルダ１０の取外しを容易に行うことができる。
【００５４】
図１０には、本発明の部品の取付装置の他の実施形態が示されている。なお、前記実形態と実質的に同一部分については、同符号を付してその説明を省略することにする。
【００５５】
この実施形態におけるホルダ１０の場合、軸部３０の前壁３１と後壁３３との間隔が、前記実施形態と比較して若干大きく形成されていて、それによって、弾性係止片４０の拡径部４５,４５が、一対の弾性爪片３７,３７の各先端面３９ｂ,３９ｂを内側から押圧した状態から（図６参照）、更に、弾性係止片４０を軸部３０の内部奥方まで押し込めるように構成されている。
【００５６】
したがって、図６に示す状態から、更に、弾性係止片４０を軸部３０の内側に押し込むと、図１０に示すように、弾性係止片４０の一対の拡径部４５,４５が、一対の弾性爪片３７,３７の各突部３９の間を抜け出て、一対の弾性爪片３７,３７に対する押圧が解除される。その後、工具Ｔを切欠き部２５から引き抜いて、弾性係止片４０の押し込みを終えると、弾性係止片４０が弾性復帰して軸部３０の外側に戻ろうとするが、弾性係止片４０に設けた拡径部４５が、各突部３９のテーパ部３７ａとは反対側の端面に係合するため、弾性係止片４０が軸部３０の内側に撓んだままの状態に維持される。
【００５７】
このように、この実施形態においては、弾性係止片４０を押し込むと、拡径部４５が一対の弾性爪片３７,３７の各突部３９の間を抜け出て、弾性爪片３７への押圧が解除されるように構成されているので、軸部３０を回動させやすくできる。更に、上記実施形態では弾性係止片４０の各拡径部４５が、一対の弾性爪片３７,３７の各突部３９の反対側の端面に係合して、弾性係止片４０が弾性復帰して軸部３０の内部から再度突出することを規制することができるので、軸部３０をより回動させやすくして、ホルダ１０を取付孔５から極めて容易に取外すことが可能となる。
【図面の簡単な説明】
【００５８】
【図１】本発明の部品の取付装置を、サンバイザ用ホルダの取付けに適用した場合の一実施形態を示す分解斜視図である。
【図２】同サンバイザ用ホルダを示しており、（ａ）は正面図、（ｂ）は左側面図、（ｃ）は右側面図、（ｄ）は平面図である。
【図３】同サンバイザ用ホルダを示しており、（ａ）は図２のＡ−Ａ矢視線における断面図、（ｂ）は図２のＢ−Ｂ矢視線における断面図、（ｃ）は図２のＣ−Ｃ矢視線における断面図である。
【図４】同サンバイザ用ホルダを天井壁部に取付ける状態の途中を示す断面図である。
【図５】同サンバイザ用ホルダを天井壁部に取付けた状態を示す断面図である。
【図６】同サンバイザ用ホルダを天井壁部に取付けたときの平面から見た場合の断面図である。
【図７】同サンバイザ用ホルダを天井壁部に取付けたときの断面斜視図である。
【図８】同サンバイザ用ホルダを天井壁部に取付けたときの斜視図である。
【図９】同サンバイザ用ホルダを天井壁部に取付けた状態から所定角度回転させた際の斜視図である。
【図１０】本発明の部品の取付装置を、サンバイザ用ホルダの取付けに適用した場合の他の実施形態を示す説明図である。
【符号の説明】
【００５９】
１  天井壁部
５  取付孔
６  孔
７  係止溝
１０  サンバイザ用ホルダ（ホルダ）
２０  ベース部
２５  切欠き部
３０  軸部
３７  弾性爪片
３７ａ  テーパ部
３７ｂ  頂部
３７ｃ  係合段部
３９  突部
４０  弾性係止片
４５  拡径部
【図１】
2007292263.tif 000003
【図２】
2007292263.tif 000004
【図３】
2007292263.tif 000005
【図４】
2007292263.tif 000006
【図５】
2007292263.tif 000007
【図６】
2007292263.tif 000008
【図７】
2007292263.tif 000009
【図８】
2007292263.tif 000010
【図９】
2007292263.tif 000011
【図１０】
2007292263.tif 000012